(57)【要約】【課題】ケーブル・コネクタを容易に固定できる太陽電池モジュール用梱包体を得ること。【解決手段】  太陽電池モジュールの天面の一部を覆う天面１ｂと、太陽電池モジュールの長側面を覆う側面２ｂと、太陽電池モジュールの底面の一部を覆う底面３ｂと、太陽電池モジュールの短側面を覆う上側壁面３ａと、組立の際に表裏から挟み込むように上側壁面３ａに係合する上側壁面２ａと、組立の際に上側壁面２ａと上側壁面３ａとの間に先端が差し込まれて、先端側と基部側とが上側壁面３ａを表裏から挟み込むように上側壁面３ａに係合する上側壁面１ａと、コネクタが挿入されることによってケーブルを保持する切り込み１２付きの穴１１を有し、組立の際に天面１ｂ側に折り曲げられる内側面４ｂと、インナーフランジとボトムフランジとの間に折り込まれる折返し面５ｂと、を備える。【選択図】図１
2014000985.tif 000002
【特許請求の範囲】
【請求項１】
太陽電池パネルと、該太陽電池パネルの裏面に取り付けられ、先端にコネクタが設けられたケーブルが前記太陽電池パネルの外部への電流の取り出し用として接続される端子ボックスと、該太陽電池パネルの受光面に当接するトップフランジと、前記太陽電池パネルの裏面に当接して前記トップフランジとの間に前記太陽電池パネルを挟持するインナーフランジと、設置時に底面側となるボトムフランジと、前記トップフランジと前記インナーフランジと前記ボトムフランジとを連結する枠部とが設けられ、前記枠部が前記太陽電池パネルの外周部を覆うように該太陽電池パネルに装着されたフレームとを含む太陽電池モジュールに組立後に取り付けられて該太陽電池モジュールの長側面近傍を被覆するシート状材料で形成された太陽電池モジュール用梱包体であって、
前記シート状材料は、
組立後に前記太陽電池モジュールの天面の一部を覆う天面部と、
展開状態での前記天面部の横方向の一方に隣接して設けられ、組立後に前記太陽電池モジュールの長側面を覆う側面部と、
展開状態での前記側面部の前記横方向の一方側に隣接して設けられ、組立後に前記太陽電池モジュールの底面の一部を覆う底面部と、
展開状態で前記底面部の縦方向の少なくとも一方に隣接して設けられ、組立後に前記太陽電池モジュールの短側面を覆う第１の側壁面部と、
展開状態で前記側面部の縦方向の前記第１の側壁面部と同じ側に隣接して設けられ、組立の際に先端側と基部側とが前記第１の側壁面部を表裏から挟み込むように該第１の側壁面部に係合する第２の側壁面部と、
展開状態で前記天面部の縦方向の前記第１の側壁面部と同じ側に隣接して設けられ、組立の際に前記第２の側壁面部と前記第１の側壁面部との間に先端が差し込まれて、先端側と基部側とが前記第１の側壁面部を表裏から挟み込むように該第１の側壁面部に係合する第３の側壁面部と、
展開状態で前記底面部の横方向の一方に隣接して設けられ、前記コネクタが挿入されることによって前記ケーブルを保持する切り込み付きの穴を有し、組立の際に前記天面部側に折り曲げられる内側面部と、
展開状態で前記内側面部の一方に隣接して設けられ、組立後に前記インナーフランジと前記ボトムフランジとの間に折り込まれる折返し面と、
を備えることを特徴とする太陽電池モジュール用梱包体。
【請求項２】
前記切り込みが、前記内側面部の長手方向に沿って設けられたことを特徴とする請求項１に記載の太陽電池モジュール用梱包体。
【発明の詳細な説明】
【技術分野】
【０００１】
本発明は、太陽電池モジュールの長側面を被覆して梱包する太陽電池モジュール用梱包体に関する。
【背景技術】
【０００２】
従来、太陽電池モジュールを保管・運搬する際には、製品同士が接触して傷ついたり、他の物品や人を傷つけたりするのを防止するために、太陽電池モジュールが梱包される。
【０００３】
梱包材として段ボールで太陽電池モジュールの側面と裏面とを覆うように梱包材を組み立て、テープで固定し、安全に輸送しうるように梱包していた。
【０００４】
その際、太陽電池モジュールのケーブル・コネクタは、太陽電池モジュールの裏面にテープで固定していた。そのため、輸送時の振動でテープが剥がれてコネクタ部がばたつき、太陽電池モジュール裏面のバックフィルムを傷つけるおそれがあった。
【０００５】
テープを使用せずにケーブル・コネクタを保持する方法として、特許文献１では、太陽光を電力に変換する機能を有する太陽電池モジュール本体と、太陽電池モジュール本体に電気的に接続され、発生した電力を取り出すための出力ケーブルと、出力ケーブルの先端に取り付けられたコネクタとを有する太陽電池モジュールにおいて、コネクタを嵌合状態又は係合状態で保持するためのコネクタ保持部を太陽電池モジュール本体に設けている。
【先行技術文献】
【特許文献】
【０００６】
【特許文献１】特開２０００−３１５１７号公報
【発明の概要】
【発明が解決しようとする課題】
【０００７】
しかしながら、上記特許文献１における構造では、太陽電池モジュール本体にケーブルやコネクタの保持部が必要となるため、保持部の取付工程や部品点数が増え、コストが増加するという問題があった。
【０００８】
本発明は、上記に鑑みてなされたものであって、ケーブル・コネクタを容易に固定できる太陽電池モジュール用梱包体を得ることを目的とする。
【課題を解決するための手段】
【０００９】
上述した課題を解決し、目的を達成するために、本発明は、太陽電池パネルと、太陽電池パネルの裏面に取り付けられ、先端にコネクタが設けられたケーブルが太陽電池パネルの外部への電流の取り出し用として接続される端子ボックスと、太陽電池パネルの受光面に当接するトップフランジと、太陽電池パネルの裏面に当接してトップフランジとの間に太陽電池パネルを挟持するインナーフランジと、設置時に底面側となるボトムフランジと、トップフランジとインナーフランジとボトムフランジとを連結する枠部とが設けられ、枠部が太陽電池パネルの外周部を覆うように太陽電池パネルに装着されたフレームとを含む太陽電池モジュールに組立後に取り付けられて太陽電池モジュールの長側面近傍を被覆するシート状材料で形成された太陽電池モジュール用梱包体であって、シート状材料は、組立後に太陽電池モジュールの天面の一部を覆う天面部と、展開状態での天面部の横方向の一方に隣接して設けられ、組立後に太陽電池モジュールの長側面を覆う側面部と、展開状態での側面部の横方向の一方側に隣接して設けられ、組立後に太陽電池モジュールの底面の一部を覆う底面部と、展開状態で底面部の縦方向の少なくとも一方に隣接して設けられ、組立後に太陽電池モジュールの短側面を覆う第１の側壁面部と、展開状態で側面部の縦方向の第１の側壁面部と同じ側に隣接して設けられ、組立の際に先端側と基部側とが第１の側壁面部を表裏から挟み込むように第１の側壁面部に係合する第２の側壁面部と、展開状態で天面部の縦方向の第１の側壁面部と同じ側に隣接して設けられ、組立の際に第２の側壁面部と第１の側壁面部との間に先端が差し込まれて、先端側と基部側とが第１の側壁面部を表裏から挟み込むように第１の側壁面部に係合する第３の側壁面部と、展開状態で底面部の横方向の一方に隣接して設けられ、コネクタが挿入されることによってケーブルを保持する切り込み付きの穴を有し、組立の際に天面部側に折り曲げられる内側面部と、展開状態で内側面部の一方に隣接して設けられ、組立後にインナーフランジとボトムフランジとの間に折り込まれる折返し面と、を備えることを特徴とする。
【発明の効果】
【００１０】
本発明によれば、輸送中にコネクタが太陽電池モジュール裏面のバックフィルムに当たって傷つけることがないという効果を奏する。
【図面の簡単な説明】
【００１１】
【図１】図１は、本発明にかかる太陽電池モジュール用梱包体の実施の形態の構成を示す展開図である。
【図２】図２は、太陽電池モジュール用梱包体の組立手順を示す図である。
【図３】図３は、内側面及び折返し面を折り曲げた状態を示す図である。
【図４】図４は、ケーブル・コネクタの固定手順を示す図である。
【図５】図５は、ケーブル及びコネクタを固定した状態での太陽電池モジュール用梱包体の断面図である。
【図６】図６は、太陽電池モジュール用梱包体によって被覆して梱包した太陽電池モジュールをポリプロピレンバンドで締め付けた状態を示す図である。
【発明を実施するための形態】
【００１２】
以下に、本発明にかかる太陽電池モジュール用梱包体の実施の形態を図面に基づいて詳細に説明する。なお、この実施の形態によりこの発明が限定されるものではない。
【００１３】
実施の形態．
図１は、本発明にかかる太陽電池モジュール用梱包体の実施の形態の構成を示す展開図である。
【００１４】
太陽電池モジュール用梱包体１０は、電流の外部への取り出し用であって先端にコネクタが設けられたケーブルが接続される端子ボックスが裏面に取り付けられた太陽電池パネルと、太陽電池パネルの外周部に装着されたフレームとを含む太陽電池モジュールを梱包するための梱包体である。太陽電池モジュール用梱包体１０は展開状態においてはシート状であり、例えば段ボールを材料として形成される。太陽電池モジュール用梱包体１０は、展開状態においては、天面１ｂの横に折目Ｄ、Ｅ、Ｆ、Ｇを介して側面２ｂ、底面３ｂ、内側面４ｂ及び折返し面５ｂが連接されている。
【００１５】
天面１ｂの上方には、上差込片１を有する上側壁面１ａ（第３の側壁面部）が折目Ａを介して連接されている。天面１ｂの下方には、下差込片４を有する下側壁面４ａ（第３の側壁面部）が折目Ｈを介して連接されている。
【００１６】
側面２ｂの上方には、上差込片２を有する上側壁面２ａ（第２の側壁面部）が折目Ｂを介して連接されている。側面２ｂの下方には、下差込片５を有する下側壁面５ａ（第２の側壁面部）が折目Ｉを介して連接されている。
【００１７】
底面３ｂの上方には、上差込部３を有する上側壁面３ａ（第１の側壁面部）が折目Ｃを介して連接されている。底面３ｂの下方には、下差込部６を有する下側壁面６ａ（第１の側壁面部）が折目Ｊを介して連接されている。
【００１８】
内側面４ｂは、ケーブル径に適した大きさの穴１１と切り込み１２とを有している。ここでは内側面４ｂの長手方向に沿って切り込み１２を設けた構成を示しているが、切り込み１２を短手方向に沿って設けたり、長手方向及び短手方向の両方に沿って十字に設けてもよい。
【００１９】
太陽電池モジュールの全体形状は太陽電池モジュールの外形サイズに応じて異なるため、太陽電池モジュール用梱包体１０の全体形状は太陽電池モジュールの外形サイズに応じて適宜選定される。すなわち、各部の寸法やそれらの比率は、図示したものに限定されることはない。
【００２０】
上側壁面３ａ及び下側壁面６ａは、先端側かつ横方向の一方（図１での右方向）側の端の近傍が切り欠かれた凹部３ｃ、６ｃを有する。上側壁面１ａ、２ａ及び下側壁面４ａ、５ａは、基部側と先端側との間で括れるように横方向の一方側から他方側へ凸状に形成された切り欠き１ｇ、２ｇ、４ｇ、５ｇを有する。上側壁面１ａ、２ａ及び下側壁面４ａ、５ａは、切り欠き１ｇ、２ｇ、４ｇ、５ｇの括れた部分が凹部３ｃ、６ｃにおいて上側壁面３ａや下側壁面６ａを表裏に跨ぐことでこれらに係合する。
【００２１】
図２は、太陽電池モジュール用梱包体の組立手順を示す図である。図２（ａ）は、上側壁面を折り曲げた状態を示すコーナー周りの拡大正面図である。図２（ｂ）は、上差込片を上差込部に差し込む状態を示すコーナー周りの拡大正面図である。図２（ｃ）は、上差込片を上側壁面と上側壁面との間から上差込部に差し込む状態を示すコーナー周りの拡大正面図である。図２（ｄ）は、コーナー周りの固定状態を示すコーナー周りの拡大正面図である。なお、図２では上側壁面１ａ、２ａ、３ａの重なり方の理解を容易とするためにこれらを塗り分けて示しているが、上記のようにこれらは１枚のシート状の部材の一部である。
【００２２】
まず、図２（ａ）に示すように、太陽電池モジュール２０の長側面近傍の裏面に底面３ｂを、短側面に上側壁面３ａを当てて折り曲げる。次に、図２（ｂ）に示すように、側面２ｂを太陽電池モジュール２０の長側面に当てつつ、上差込片２を上差込部３に差込む。さらに、図２（ｃ）に示すように、天面１ｂを太陽電池モジュール２０の長側面の表面に当てつつ、上差込片１を上側壁面２ａと上側壁面３ａとの間から上差込部３に差し込む。以上の手順により、図２（ｄ）に示すように太陽電池モジュール用梱包体１０のコーナー周りは固定され、段ボールの反発力によって、太陽電池モジュール２０が容易かつ強固に保持される。
【００２３】
なお、底面３ｂ、側面２ｂ及び天面１ｂを折り曲げ、下差込片４、５を下差込部６に差し込むことによって太陽電池モジュール用梱包体１０を組み立てて、下側壁面４ａ、５ａ、６ａで太陽電池モジュール２０のコーナーを被覆して梱包する手順も、上記説明した梱包手順と同様である。
【００２４】
次に、内側面４ｂ及び折返し面５ｂを折り曲げる。図３は、内側面及び折返し面を折り曲げた状態を示す図である。太陽電池モジュール２０は、太陽電池パネル２１と、太陽電池パネル２１の周縁に装着されたフレーム３０とを備えている。フレーム３０は、太陽電池パネル２１の受光面に当接するトップフランジ３１と、太陽電池パネル２１の裏面に当接してトップフランジ３１との間に太陽電池パネル２１を挟持するインナーフランジ３２と、設置時に底面側となるボトムフランジ３３と、トップフランジ３１、インナーフランジ３２及びボトムフランジ３３を連結する枠部３４とが設けられている。太陽電池モジュール用梱包体１０の内側面４ｂは天面１ｂ側に折り曲げられる。折返し面５ｂは図３に示すように、インナーフランジ３２とボトムフランジ３３との間に折り込む。これにより、図３に示す組立状態から、内側面４ｂと底面３ｂとがなす角度が大きくなるように角部７ａを中心として内側面４ｂが回動した場合には、折返し面５ｂがフレーム３０に当たって内側面４ｂの動きを規制する。すなわち、折返し面５ｂは、内側面４ｂがフレーム３０から離間することを防止する機能を有し、太陽電池モジュール用梱包体１０を組立状態に維持する。インナーフランジ３２の底面側に突起３２ａを設けておくことにより、折返し面５ｂの先端が突起３２ａに引っ掛かって抜けにくくなるため、折返し面５ｂによる組み立て状態を維持する効果が大きくなる。
【００２５】
図４は、ケーブル・コネクタの固定手順を示す図であり、図４（ａ）は穴１１及び切り込み１２にコネクタ２２を差し込む途中の状態を示し、図４（ｂ）は、穴１１及び切り込み１２にコネクタ２２を差し込んだ後の状態を示す。図５は、ケーブル及びコネクタを固定した状態での太陽電池モジュール用梱包体の断面図である。穴１１及び切り込み１２にコネクタ２２を差し込み、ケーブル２３及びコネクタ２２を固定する。ケーブル２３及びコネクタ２２のサイズに応じて、穴１１や切り込み１２の位置及びサイズを変更することにより、ケーブル２３及びコネクタ２２を太陽電池モジュール用梱包体１０に容易に固定できる。図５に示すように、ケーブル２３は穴１１を通るが、コネクタ２２は穴１１よりも大きいため、力を加えて切り込み１２を押し広げなければコネクタ２２は、穴１２を通過できない。したがって、穴１２に通したコネクタ２２は、輸送時の振動などでは穴１１から脱落しない。
【００２６】
図６は、太陽電池モジュール用梱包体によって被覆して梱包した太陽電池モジュールをポリプロピレン（polypropylene：ＰＰ）バンドで締め付けた状態を示す図である。図６（ａ）は太陽電池モジュール２０の受光面（ガラス面）からの斜視図で、図６（ｂ）は、太陽電池モジュール２０の裏面（バックフィルム面）からの斜視図である。太陽電池パネル２１の裏面には、電流の外部への取り出し用であって先端にコネクタ２２が設けられたケーブル２３が接続される端子ボックス２４が取り付けられている。太陽電池モジュール用梱包体１０によって被覆して梱包した太陽電池モジュール２０をポリプロピレンバンド４０で締め付けることにより、太陽電池モジュール用梱包体１０が太陽電池モジュール２０から脱落することを防止できる。
【００２７】
本実施の形態にかかる太陽電池モジュール用梱包体は、太陽電池モジュールの梱包時に接着剤や粘着テープを使用しないため、繰り返し使用可能である。
【００２８】
上記の説明においては、太陽電池モジュール用梱包体１０が太陽電池モジュール２０の長側面を全体的に覆う構造を例としたが、太陽電池モジュール用梱包体１０が太陽電池モジュール２０のコーナー部のみ被覆し梱包する構造（第１の側壁面部が底面部の一方のみに隣接して設けられた構造）とすることも可能である。
【００２９】
本実施の形態によれば、穴１１にコネクタ２２を差し込むだけで、ケーブル２３及びコネクタ２２を固定できる。
【産業上の利用可能性】
【００３０】
以上のように、本発明にかかる太陽電池モジュール用梱包体は、ケーブル・コネクタの固定にテープなどの他の部品を使用する必要がなく、コストの増加が抑えられると同時に、ケーブル・コネクタを容易に固定することができるため、輸送時にコネクタ部がばたついて太陽電池モジュール裏面のバックフィルムを傷つけることを防止できる点で有用である。
【符号の説明】
【００３１】
１、２  上差込片
１ａ、２ａ、３ａ  上側壁面
１ｂ  天面
１ｇ、２ｇ、４ｇ、５ｇ  切り欠き
２ｂ  側面
３  上差込部
３ｂ  底面
３ｃ、６ｃ  凹部
４、５  下差込片
４ａ、５ａ、６ａ  下側壁面
４ｂ  内側面
５ｂ  折返し面
６  下差込部
７ａ  角部
１０  太陽電池モジュール用梱包体
１１  穴
１２  切り込み
２０  太陽電池モジュール
２１  太陽電池パネル
２２  コネクタ
２３  ケーブル
２４  端子ボックス
３０  フレーム
３１  トップフランジ
３２  インナーフランジ
３２ａ  突起
３３  ボトムフランジ
３４  枠部
４０  ポリプロピレンバンド
Ａ、Ｂ、Ｃ、Ｄ、Ｅ、Ｆ、Ｇ、Ｈ、Ｉ、Ｊ  折目
【図１】
2014000985.tif 000003
【図２】
2014000985.tif 000004
【図３】
2014000985.tif 000005
【図４】
2014000985.tif 000006
【図５】
2014000985.tif 000007
【図６】
2014000985.tif 000008